(57)【特許請求の範囲】
【請求項１】
複数の連続するホック（１０，１０Ａ，１０Ｂ，１０Ｃ，１０Ｄ，１０Ｅ）を縁に有する第１テープ（２，２Ａ，２Ｂ，２Ｃ，２Ｄ，２Ｅ）と、複数の連続するホック（１０１，１０Ａ１，１０Ｂ１，１０Ｃ，１０Ｄ１，１０Ｅ）を縁に有する第２テープ（３，３Ａ，３Ｂ，３Ｃ，３Ｄ，３Ｅ）と、これら第１、第２テープのホックを一斉に開閉するスライダー（２０，２０Ａ，２０Ｂ，２０Ｃ，２０Ｄ，２０Ｅ）からなり、
前記第１テープの各ホックは、前記第１テープに固定される基部（１２，１２Ａ，１２Ｂ，１２Ｃ）と、基部から突出する係合部（１３，１３Ａ，１３Ｂ，１３Ｃ）を有し、
前記第２テープの各ホックは、前記第２テープに固定される基部（１２，１２Ａ，１２Ｂ，１２Ｄ）と、基部から突出する係合部（１３，１３Ａ，１３Ｂ，１３Ｄ）を有し、
前記第１、第２テープの係合部は相互に上下方向に係合可能である集合ホックにおいて、
前記スライダー（２０）はテープ通過用の開口を有する集中部（２１）と離散部（２２）からなり、
前記集中部（２１）は、平坦な入り口（２３）と、それに続く傾斜部からなり、前記傾斜部は、第１方向（Ａ）にテープを曲げる下向き傾斜路（２４）と、第２方向（Ｂ）にテープを曲げる上向き傾斜路（２５）からなり、前記下向き傾斜路（２４）は前記上向き傾斜路（２５）よりも幅が広いものであり、
前記離散部（２２）では、前記下向き傾斜路（２４）に続く第１通路（２６）と、前記上向き傾斜路（２５）に続く第２通路（２７）を有する
ことを特徴とする集合ホック。
【請求項２】
前記第１テープの各ホック（１０，１０Ａ，１０Ｂ，１０Ｅ）と前記第２テープの各ホック（１０１，１０Ａ１，１０Ｂ１，１０Ｅ１）が共に雌雄部材（１４，１５；１４Ｂ，１９；１４Ｅ，１５Ｅ）を併せ持つことにより同一形状である請求項1に記載の集合ホック。
【請求項３】
前記第１テープの各ホック（１０Ｃ）と前記第２テープの各ホック（１０Ｃ１）が雌雄部材（１４Ｃ，１５Ｃ）をそれぞれの各ホックに振り分けることにより異なる形状である請求項1又は２に記載の集合ホック。
【請求項４】
前記第１テープ（２Ｄ，２Ｅ）及び前記第２テープ（３Ｄ，３Ｅ）が、共に各ホックの雌雄部材（１４Ｄ，１５Ｄ；１４Ｅ，１９Ｅ）を長手方向に交互に配列したものである請求項1又は２に記載の集合ホック。
【請求項５】
前記テープ（２Ａ，３Ａ）が長手方向に弾性のある素材からなる請求項1ないし４のいずれかに記載の集合ホック。
【請求項６】
前記第１テープの各ホック（１０，１０Ａ，１０Ｃ）と前記第２テープの各ホック（１０，１０Ａ，１０Ｄ）の前記係合が雌雄部材（１４，１５；１４Ｃ，１５Ｃ；１４Ｄ，１４Ｄ）の嵌め合いである請求項1ないし５のいずれかに記載の集合ホック。
【請求項７】
前記第１テープの各ホック（１０Ｂ，１０Ｅ）と前記第２テープの各ホック（１０Ｂ１，１０Ｅ１）の前記係合が雌雄部材（１４Ｂ，１９；１４Ｅ，１９Ｅ）の引っかけである請求項1ないし５のいずれかに記載の集合ホック。
【発明の詳細な説明】
【技術分野】
【０００１】
本発明は、多数のホックが左右２本のテープの縁で連続する集合ホックであって、スライダーで一斉に開閉することのできるもの（以下、「集合ホック」と略称する）に関する。本明細書において「ホック」とは広い意味で「連結具」を意味し、例えばスナップファスナ、ボタンを含むが、多数の務歯やコイルを有するいわゆるスライドファスナーは含まない。
【背景技術】
【０００２】
左右２本のファスナーテープの縁に取り付けた多数の務歯をスライダーで一斉に開閉するスライドファスナーは一般に広く使用されている。
【０００３】
スライドファスナーの務歯の先端に磁石を取り付けて磁力により左右のファスナーテープを接合させる発明も公知となっている（特開２００６−１４９８２４、特開２００７−３１９２５３）。
【０００４】
さらに磁石を有する複数のボタンを左右テープに配置し、スライドファスナーのような外観を呈するものも公知である（実開平４−６４２０９号）。
【発明の概要】
【発明が解決しようとする課題】
【０００５】
現在のスライドファスナーは技術的に非常に洗練されているが、あえて欠点を指摘すると生地その他を挟み込んで務歯同士が噛み合わなくなる現象がある。
【０００６】
上記特開２００６−１４９８２４、特開２００７−３１９２５３は、各務歯の磁石部材は左右ファスナーテープの接近及び結合に使用されているが、やはりスライドファスナーである。
【０００７】
上記実開平４−６４２０９号は、スライダーを使用せず開閉を一斉に行うことができないので、複数のボタンが連続しているものと考えることができる。
【０００８】
磁石を使用した上記各発明・考案は、例えば衣服に用いた場合、ペースメーカー装着者などに健康上の問題を惹起したり、携帯型音響機器に悪影響を与えたりする可能性がある。
【０００９】
本発明は、多数の連続するホックからなる集合ホックであって、個々のホックを手で開閉できると共に、スライダーで一斉に開閉することのできるものであって、なおかつ磁石を使用しないものを提供することを目的とする。
【課題を解決するための手段】
【００１０】
本発明の集合ホックは、複数の連続するホックを縁に有する第１テープと、複数の連続するホックを縁に有する第２テープと、これら第１、第２テープのホックを一斉に開閉するスライダーからなり、前記第１テープの各ホックは、前記第１テープに固定される基部と、基部から突出する係合部を有し、前記第２テープの各ホックは、前記第２テープに固定される基部と、基部から突出する係合部を有し、前記第１、第２テープの係合部は相互に係合可能である集合ホックにおいて、前記スライダーはテープ通過用の開口を有する集中部と離散部からなり、前記集中部は、平坦な入り口と、それに続く傾斜部からなり、前記傾斜部は、第１方向にテープを曲げる下向き傾斜路と、第２方向にテープを曲げる上向き傾斜路からなり、前記下向き傾斜路は前記上向き傾斜路よりも幅が広いものであり、前記離散部では、前記下向き傾斜路に続く第１通路と、前記上向き傾斜路に続く第２通路を有することを特徴とする（請求項1）。ここで「係合」とは広い意味で「接合」することをいい、「嵌め合い」が一般的であるがそのほかに、「引っかけ」、「接着」、「付着」、「吸引」（ただし磁石による吸引は含まない）、「追従」等の態様がある。
【００１１】
好ましくは、前記スライダーはテープ通過用の開口を有する集中部と離散部からなり、前記集中部は、平坦な入り口と、それに続く傾斜部からなり、前記傾斜部は、第１方向にテープを曲げる下向き傾斜路と、第２方向にテープを曲げる上向き傾斜路からなり、前記離散部では、前記第１方向のテープは前記下向き傾斜路に続く第１通路を有し、前記第２方向のテープは前記上向き傾斜路に続く第２通路を有する（請求項２）。
【００１２】
好ましくは、前記下向き傾斜路は上向き傾斜路よりも幅が広い（請求項３）。
【００１３】
好ましくは、前記第１テープの各ホックと前記第２テープの各ホックは共に雌雄部材を併せ持つことにより同一形状である（請求項４）が、雌雄部材をそれぞれのテープに振り分けることにより異なる形状であっても構わない（請求項５）。
【００１４】
別の実施態様では、前記第１テープ及び前記第２テープが、共に各ホックの雌雄部材を長手方向に交互に配列したものである（請求項６）。
【００１５】
さらに別の実施態様では、前記テープは長手方向に弾性のある素材、例えばゴムテープとすることもできる（請求項７）。
【００１６】
前記第１テープの各ホックと前記第２テープの各ホックの前記係合は雌雄部材の嵌め合いでもよい（請求項８）し、引っかけでもよい（請求項９）。
【発明の効果】
【００１７】
請求項1の発明によると、多数のホックからなる集合ホックが得られる。この集合ホックは、個々のホックを手で開閉できると共に、スライダーで一斉に開閉することができる。この集合ホックは、使用者が個々のホックを簡単に開閉できるので、生地その他を挟み込んでも修復が容易である。また、磁石を使用しないので、磁力に起因するさまざまなトラブルを避けられる。
【００１８】
請求項２の発明によると、この集合ホックに適したスライダーが得られる。
【００１９】
請求項３の発明によると、第１方向に走るテープと第２方向に走るテープの分離が滑らかなものとなる。
【００２０】
請求項４の発明によると、雌雄ホックが同一金型で制作可能となるので、製造コストを下げることができる。
【００２１】
請求項７の発明によると、使用時に各ホックの長手方向間隔を伸縮させることが可能となる。
【００２２】
以下、添付の図面に基づき本発明の実施例を説明する。
【図面の簡単な説明】
【００２３】
【図１】本発明の１実施例に係る連続ホックの斜視図である。
【図２】（ａ）はホックの係合前の斜視図、（ｂ）は係合状体の斜視図である。
【図３】片方のホックの（ａ）平面図、（ｂ）側面図、（ｃ）底面図、（ｄ）平面図、（ｅ）図３（ａ）矢示断面図である。
【図４】（ａ）はホックの係合前の断面図、（ｂ）は係合状体の断面図である。
【図５】（ａ）はスライダーを上下に２分割した状態の斜視図、（ｂ）は完成状態の斜視図である。
【図６】上下に分割可能なスライダーの片方の（ａ）平面図、（ｂ）左側面図、（ｃ）正面図、（ｄ）右側面図、（ｅ）底面図、（ｆ）図６（ｃ）のＦ−Ｆ断面図、（ｇ）図６（ｃ）のＧ−Ｇ断面図である。
【図７】第１実施例の（ａ）集合ホックの正面図、（ｂ）断面図である。
【図８】集合ホックの１使用状態を示す斜視図である。
【図９】集合ホックの第２実施例を示す正面図である。
【図１０】集合ホックの第３実施例を示す（ａ）平面図、（ｂ）側面図、（ｃ）底面図、（ｄ）背面図、（ｅ）図１０（ａ）の矢示断面図である。
【図１１】第３実施例の（ａ）係合前断面図、（ｂ）係合後断面図を示す。
【図１２】第３実施例の（ａ）集合ホックの正面図、（ｂ）断面図である。
【図１３】集合ホックの第４実施例（雄部材）を示す（ａ）平面図、（ｂ）側面図、（ｃ）底面図、（ｄ）背面図、（ｅ）図１３（ａ）の矢示断面図である。
【図１４】集合ホックの第４実施例（雌部材）を示す（ａ）平面図、（ｂ）側面図、（ｃ）底面図、（ｄ）背面図、（ｅ）図１４（ａ）の矢示断面図である。
【図１５】第４実施例の（ａ）係合前断面図、（ｂ）係合後断面図を示す。
【図１６】第４実施例の（ａ）集合ホックの正面図、（ｂ）断面図である。
【図１７】第５実施例の（ａ）集合ホックの正面図、（ｂ）断面図である。
【図１８】第６実施例の（ａ）集合ホックの正面図、（ｂ）断面図である。
【実施例１】
【００２４】
図１は本発明の１実施例に係る連続ホック１の斜視図である。外観は、スライドファスナーによく似ているが、務歯に見えるものはすべて左右一対で独立したホック１０である。使用する個々のホックの大きさおよび数は用途に応じて変更可能である。
【００２５】
各ホック１０は左右のテープ２，３の縁に取り付けられて、雌雄一対となる。この実施例では、図２〜４に示すように、合成樹脂により雌雄同型に成形している。
【００２６】
このホックは、テープ２，３が取り付けられる側が基部１２となり、この基部１２から１段下がった位置で係合部１３が突出している。係合部１３には、雄部材となる円柱状の突起１４と、雌部材となる貫通孔１５が、共に形成されている。突起１４の先端はややふくれて膨出部１６となっており、貫通孔１５には段部１７が形成されてその部分で小径部（図４参照）となっている。したがって、雌雄のホックを嵌め合わせたとき、スナップ嵌めとなると共に、図４に示すように、膨出部が小径部１８により安定的に固定される。しかし、この安定度は使用者が指で力を入れれば外れる程度のものである。
【００２７】
各ホック１０はテープ２，３の縁に対して射出成形により一体成形するのが好ましい。テープ生地としては、溶融されることなく溶融樹脂が透過する生地であることが必要で、織物でも編物でもよく、例えば木綿生地、混紡生地等を採用することができる。合成樹脂としては、熱可塑性樹脂、例えばポリアセタール溶融樹脂を使用することができる。
【００２８】
本発明ではこのホック１０を多数使用するので、いちいち使用者がホックの係合及び解除を行うのは非効率であり、効率を上げるためにスライダー２０を使用するのが好ましい。特定の目的で使用者が個々のホックを係合及び解除することがあるのは後記のとおりである。
【００２９】
スライダー２０は、図１、図５、図６に示すようなもので、やはりスライドファスナーのスライダーとよく似ている。スライダー２０を動かすために引手を使用するが、これらの図面では見やすくするために省略している。
【００３０】
図５（ａ）ではスライダー２０を上下に２分割した状態、（ｂ）は完成状態を示している。このスライダー２０は上下同型であり、内面側同士を向かい合わせて固着して使用する。
【００３１】
スライダー２０は、後半の集中部２１と前半の離散部２２からなり、それぞれ側壁２９、３０によって形成されるテープ通過用の開口を有する。集中部開口では左右テープが接合し、離散部開口では各テープに離散する。
【００３２】
集中部２１はテープ通過用の開口を有し、平坦な入り口２３と、それに続く傾斜部からなる。傾斜部は、図６（ｃ）において左側にテープを曲げる下向き傾斜路２４と、右側にテープを曲げる上向き傾斜路２５からなり、幅は前者対後者が約６〜８：２〜４、好ましくは７：３である。従って右側に持ち上げられるテープは右端のみが持ち上げられる。
【００３３】
離散部２２では、左側テープは集中部２１に続きテープ全体を通過させる左側通路２６が与えられている。右側テープは離散部２２に至って初めて、右端だけでなくテープ全体を通過させる右側通路２７が与えられる。左右通路の間には、中間高さの境界部２８がある。
【００３４】
したがって、下向きに走るテープは離散部２２においてそのまま左側を走ってスライダー２０から出て行く。上向きに走るテープは離散部２２において右端だけでなく全体が持ち上げられてスライダー２０から出て行く。したがって、スライダー２０から出た直後は左右テープには段差ができている。
【００３５】
このテープ集中部２１と離散部２２を通じて、図7に示すように、雌雄ホックが押しつけられて接合したり、引きはがされて離脱したりする。
【００３６】
本発明の集合ホック1はさまざまな用途に用いることができる。図８に示した倒壊防止用ネット３１はその一例であり、通常は集合ホック全体を開閉して荷物を取り出すが、急ぐときなどに部分的に作業員が集合ホックの一部３２を指で開いて荷物３３を取り出したりすることができる。用が済めば開いた部分を指でまた閉じることができる。
【００３７】
その他、ホック同士の間隔がスライドファスナーに較べると空きやすいので、衣服に用いたときには通気性がよくなり夏場の衣服に向いている。通水性もよいので、水着に使用することもできる。
【実施例２】
【００３８】
図９は第２実施例で、形状は第１実施例と同じであるが、テープにゴムテープを用いている。本発明の集合ホックでは、スライドファスナーと異なり、各ホックは独立しているので、各ホック同士の間隔は（スライダーを通すときを除き）一定である必要はない。テープとしてゴムテープを使用したとき、ホック同士の間隔が伸縮するので、通常のスライドファスナーを見慣れている人にとって意外な印象を与える。たとえば体を激しく動かす運動用の密着型衣服に使用可能である。
【実施例３】
【００３９】
図１０〜１２は第３実施例であり、第１、第２実施例とはホックの形状が異なる。各ホック１０Ｂは、第１実施例と異なり、先端に細長の突起１４Ｂを有するが、貫通孔は有さない。その代わりに基部１２Ｂと突起１４Ｂの間が窪み１９を形成していて、ここが係合部となる。
【００４０】
したがって、この雌雄ホックの係合は、図１１に示すように、突起１４Ｂが窪み１９にひっかかることにより成立するものであり、嵌め合いというよりは引っかけに近いものである。窪み１９の幅を調節することにより係合の強度を変えることができる。
【実施例４】
【００４１】
図１３〜１６は第４実施例であり、第１〜３実施例とはホックの形状が異なる。各ホック１０Ｃ，１０Ｃ１は雌雄同型ではなく、一方のホック１０Ｃに設けられる雄部材１４Ｃと、他方のホック１０Ｃ１に設けられる雌部材１５Ｃからなる。
【００４２】
雄部材は、図１３に示すように、基部１２Ｃから１段下がった位置にある係合部１３Ｃに設けられた円柱状の突起１４Ｃである。
【００４３】
雌部材は、図１４に示すように、基部１２Ｃ１から１段下がった位置にある係合部１３Ｃ１に設けられた貫通孔１５Ｃである。
【００４４】
雌雄部材の係合は、図１５に示すように、第１実施例と同様の嵌め合いである。
【実施例５】
【００４５】
図１７は第５実施例であり、第４実施例の変形例である。一方のテープ２Ｄの縁部に連続して設けられる各ホックは、第４実施例で使用した雄部材１４Ｄと雌部材１５Ｄが交互に繰り返されている。他方のテープ３Ｄについても同じように雄部材１４Ｄと雌部材１５Ｄが交互に繰り返されている。
【実施例６】
【００４６】
図１８は第６実施例であり、第３実施例の変形例である。一方のテープ２Ｅの縁部に連続して設けられる各ホックは、第３実施例で使用した雌雄共通部材が一つおきに上下を逆にして交互に繰り返されている。他方のテープ３Ｅについても同じように第３実施例で使用した雌雄共通部材が一つおきに上下を逆にして交互に繰り返されている。
【００４７】
この第６実施例を第３実施例と較べると、図１８（ａ）で左右ホックの接触を示す縦線がジグザグに現れることで分かるように、係合部分が均等に中心線の左右に分散するので、スライダーにかかる負担が少ない。
【先行技術文献】
【特許文献】
【００４８】
【特許文献１】特開２００６−１４９８２４
【特許文献２】特開２００７−３１９２５３
【特許文献３】実開平４−６４２０９号
【符号の説明】
【００４９】
1，１Ａ，１Ｂ，１Ｃ，１Ｄ，１Ｅ      集合ホック
２，２Ａ，２Ｂ，２Ｃ，２Ｄ，２Ｅ  一方のテープ
３，３Ａ，３Ｂ，３Ｃ，３Ｄ，３Ｅ  他方のテープ
１０，１０Ａ，１０Ｂ，１０Ｃ，１０Ｄ，１０Ｅ     ホック
１２，１２Ａ，１２Ｂ，１２Ｃ，１２Ｄ      基部
１３，１３Ａ，１３Ｂ，１３Ｃ，１３Ｄ      係合部
１４，１４Ｂ，１４Ｃ，１４Ｄ，１４Ｅ  突起（雄部材）
１５，１５Ｃ  ，１５Ｄ  貫通孔（雌部材）
１６   膨出部
１７   段部
１８   小径部
１９  窪み
２０，２０Ａ，２０Ｂ，２０Ｃ，２０Ｄ，２０Ｅ     スライダー
２１   集中部
２２   離散部
２３   入口
２４   下向き傾斜路
２５   上向き傾斜路
２６   通路
２７  通路
２８   境界部
２９  側壁
３０  側壁
３１   倒壊防止用ネット
３２  荷物
【図１】
0006017802.tif 000002
【図２】
0006017802.tif 000003
【図３】
0006017802.tif 000004
【図４】
0006017802.tif 000005
【図５】
0006017802.tif 000006
【図６】
0006017802.tif 000007
【図７】
0006017802.tif 000008
【図８】
0006017802.tif 000009
【図９】
0006017802.tif 000010
【図１０】
0006017802.tif 000011
【図１１】
0006017802.tif 000012
【図１２】
0006017802.tif 000013
【図１３】
0006017802.tif 000014
【図１４】
0006017802.tif 000015
【図１５】
0006017802.tif 000016
【図１６】
0006017802.tif 000017
【図１７】
0006017802.tif 000018
【図１８】
0006017802.tif 000019